(57)【要約】      （修正有）【課題】家庭・事務所等で生花の一輪挿しが楽しめる様に貯水が可能で、簡易に折り畳み携帯できる組立式貯水容器を提供する。【解決手段】一対の内側板を扁平状とした内枠の二縦辺に、この内枠に重ね合わせられたポリ袋の二側辺を巻き込み、かつ、接着した貯水枠Ｌの二縦辺が、一対の接続板の間に一対の外側板を設けた外枠Ｋの、扁平状とした一対の外側板に一対の接続板を折り返して形成する。さらに、外枠Ｋの内部にポリ袋を巻き込み、この巻き込み部分を除く内側板と接続板を接着し、ポリ袋の上部開口縁を外側板と内側板に接着する。外枠と内枠に設けた４本の折り曲げ線により水平断面形状が四辺形にて、この四角のうちの貯水枠の平行する二縦辺が収まるところの二角内に、ポリ袋の平行する二側辺が固着される筒状の貯水体Ｊを、装着体Ｂに着脱自在に装着して、貯水が可能な折り畳み式組立貯水容器とする。【選択図】図１０
0003168935.tif 000002
【実用新案登録請求の範囲】
【請求項１】
互いに平行となる両端にて開閉自在なる折り曲げ線をもって折り畳み、互いに重ね合わせられるところの弾力性を有する四辺形の天板と水平板のうち、この天板のアーチ状に湾曲する支点となる平行する二辺の延長上に、開閉自在なる折り曲げ線をもって折り返して前記天板に重ね合わせられるところの一対の左水平板・右水平板に、この折り曲げ線に平行するところの３本の開閉自在なる折り曲げ線をもって、左右の一対の連結板の間に一対の直立板を設けた四辺形の連結体のうちの前記連結板を、それぞれ接合して環状とするところの装着体のうちの前記連結体の一対の連結板と、中央の折り曲げ線にて二つ折りして一対の直立板を重ね合わせた連結体直立部を逆Ｔ字状に整形し、前記天板をアーチ状に湾曲する支点に形成される二角内に互いに平行する二辺が収まるところの、固定孔を設けた上層整形板と、逆Ｔ字状に整形した前記連結体の水平状態に並設される一対の前記連結板が収まるところの下層収納孔を設けた下層整形板よりなる四辺形の整形体を付設して、この整形体に設けた前記固定孔に前記連結体直立部を係合し、開閉自在なる折り曲げ線を有する四角のうちの対角線上の二角をもって折り畳まれるところの、収納物を投入する水平断面形状が四辺形なる筒状の保持枠を、前記天板に設けた貫通孔に貫通し、下部開口内の対角線上に前記連結体直立部を嵌め込んで前記整形体上に設置して、前記装着体に着脱自在に装着した折り畳み式組立容器において、互いに平行する二縦辺に平行するところの開閉自在なる折り曲げ線をもって設けた、一対の内側板を扁平状としたところの四辺形からなる内枠の平行する二縦辺に、この内枠に重ね合わせられた二重のフィルムにて袋状としたポリ袋の平行する二側辺を巻き込み、かつ、接着したところの貯水枠の平行する二縦辺が、互いに平行する二縦辺に平行するところの３本の開閉自在なる折り曲げ線をもって、一対の接続板の間に一対の外側板を設けた四辺形からなる外枠の、扁平状としたところの一対の前記外側板に一対の前記接続板を折り返して形成されるところの二角内に収まり、前記ポリ袋の巻き込み部分、及び、この巻き込み部分を除くところの前記内側板と前記外枠の前記接続板を接着し、前記ポリ袋の平行する上部開口縁をこれに対応する前記外側板と前記内側板にそれぞれ接着した、前記外枠と前記内枠に設けた４本の開閉自在なる前記折り曲げ線により水平断面形状が四辺形にて、この四角のうちの前記貯水枠の平行する二縦辺が収まるところの二角内に、貯水可能な前記ポリ袋の平行する二側辺が固着される筒状の貯水体を、前記天板の貫通孔に貫通し、下部開口内に前記連結体直立部を嵌め込んで前記整形体上に設置して、前記装着体に着脱自在に装着した折り畳み式組立貯水容器。
【考案の詳細な説明】
【技術分野】
【０００１】  本考案は、家庭・事務所等で使用されるもので、生花の一輪挿しの組立容器に関するものである。
【背景技術】
【０００２】  従来の折り畳み式組立容器には、造花等を投入する筒状なものを、アーチ状の装着体に設置して、扁平状に折り畳みができて小さなスペースで保管・輸送ができるけれども、生花のための貯水は不可能なものがある。【０００３】  以下、図１〜９により従来の折り畳み式組立容器について説明する。【０００４】  従来の組立容器Ａ１は装着体Ｂ・整形体Ｃ・保持枠Ｄより構成されている。【０００５】  装着体Ｂは板状装着板Ｅと連結体Ｆより構成されており、板状装着板Ｅは厚み０．３ｍｍ程度の、ある程度の弾性を有するところの厚紙にて、四辺Ｅ１〜Ｅ４からなる四辺形の外形形状からなり、四辺１Ａ〜１Ｄからなる四辺形の外形形状の天板１と、この天板１の左右に、互いに同等なる大きさにて、四辺２Ａ〜２Ｄ・３Ａ〜３Ｄからなる四辺形の外形形状の左水平板２・右水平板３を、天板１の縦辺１Ｄ・１Ｂの延長上に折り曲げ線Ｅ５・Ｅ６をもって折り返しており、また、天板１の中央には、外形形状が四辺形にて交差する対角線４Ａと４Ｂが、天板１の縦辺１Ｂ・１Ｄ、及び、横辺１Ａ・１Ｃにそれぞれ平行となるところの貫通孔４を設けている。【０００６】  連結体Ｆも厚み０．３ｍｍ程度の厚紙の、四辺Ｆ１〜Ｆ４からなる四辺形の外形形状からなり、縦辺Ｆ２・Ｆ４に平行にして３本の開閉自在な折り曲げ線Ｆ５〜Ｆ７を配設して、左右一対の連結板５・６、及び、直立板７・８より構成され、３本の折り曲げ線Ｆ５〜Ｆ７のうちの中央の折り曲げ線Ｆ６をもって二つ折りし、一対の直立板７・８を互いに重ね合わせて連結体直立部Ｆ８を形成して、３本の折り曲げ線Ｆ５〜Ｆ７のうちの両端に位置する折り曲げ線Ｆ５・Ｆ７の延長上に水平状態に設けた一対の連結板５・６により、逆Ｔ字状に整形されるものであり、板状装着板Ｅの天板１と左水平板２・右水平板３が扁平状に重ね合わされた状態にて、連結体Ｆの一対の連結板５・６を、板状装着板Ｅの左水平板２・右水平板３に合成接着剤にてそれぞれ接着して環状となる装着体Ｂを形成している。【０００７】  整形体Ｃは、四辺Ｃ１〜Ｃ４からなる四辺形の外形形状からなり、上層整形板Ｇと下層整形板Ｈより構成され、このうちの上層整形板Ｇは、厚み０．５ｍｍ程度の厚紙にて四辺Ｇ１〜Ｇ４からなる四辺形の外形形状とし、下層整形板Ｈは厚み２ｍｍ程度の厚紙からなり、この外形形状の四辺Ｈ１〜Ｈ４は、上層整形板Ｇの四辺Ｇ１〜Ｇ４とそれぞれ同等な大きさとしている。【０００８】  また、整形体Ｃの外形形状の大きさにて、縦辺Ｃ２・Ｃ４は板状装着板Ｅの天板１の縦辺１Ｂ・１Ｄと同等とし、また、整形体Ｃの横辺Ｃ１・Ｃ３においては、板状装着板Ｅの天板１をアーチ状に湾曲した状態における天板１と左水平板２・右水平板３が形成する二角Ｅ７・Ｅ８内に、整形体Ｃの縦辺Ｃ２・Ｃ４が収まるところの大きさとし、上層整形板Ｇの中央には四辺９Ａ〜９Ｄのうちの長辺９Ｂ・９Ｄが、上層整形板Ｇの縦辺Ｇ２・Ｇ４に平行するところの長方形の固定孔９を設け、この固定孔９大きさは、連結体直立部Ｆ８の重ね合わせた直立板７・８の厚紙２枚の水平断面形状とほぼ同等にて、天板１をアーチ状に湾曲したところの板状装着板Ｅの左水平板２と右水平板３上に整形体Ｃを載置した場合、連結体直立部Ｆ８が固定���９内にスムーズに挿入・取外しができる大きさとしている。【０００９】  また、下層整形板Ｈの厚紙の厚みは２ｍｍ程度としているが、この厚みは板状装着板Ｅの左水平板２・右水平板３上に接着した連結体Ｆの連結板５・６の厚みより厚いものにするとともに、下層整形板Ｈの中央には、四辺１０Ａ〜１０Ｄからなる四辺形の下層収納孔１０を設け、この下層収納孔１０の大きさは、連結体Ｆの直立板７・８を互いに重ね合わせた場合の、水平状態となるところの連結板５と６を並列した大きさより一回り大きいものとし、この下層整形板Ｈ上に上層整形板Ｇを合成接着剤にて接着しており、連結体Ｆの連結板５・６が下層整形板Ｈの下層収納孔１０内に収まり、装着体Ｂの左水平板２・右水平板３上の整形体Ｃは、載置した状態が安定することとなる。【００１０】  保持枠Ｄは、四辺Ｄ１〜Ｄ４からなる四辺形の厚み０．２ｍｍ程度の厚紙を用い、４枚の長方形の側板１１〜１４からなるところの水平断面形状が四辺形なる筒状にしたものであり、四角Ｄ５〜Ｄ８のうちの角Ｄ８にて、一方の側板１４にのり代１５を設けて他方の側板１１に合成接着剤で貼り合わせており、また、四角Ｄ５〜Ｄ８に開閉自在な折り曲げ線Ｄ９〜Ｄ１２を配設して、交差する対角線Ｄ１３・Ｄ１４上に位置する角Ｄ５とＤ７、又は、Ｄ６とＤ８をもって、保持枠Ｄは扁平状に折り畳まれるものであるが、保持枠Ｄは板状装着板Ｅの天板１がアーチ状に湾曲した状態における貫通孔４にスムーズに挿入・取外しができるものとし、保持枠Ｄの水平断面形状の大きさは、天板１がアーチ状に湾曲した状態における上方向より見たところの貫通孔４の大きさより一回り小さいものとしている。【００１１】  また、保持枠Ｄを整形体Ｃ上に係止するために、下部開口Ｄ１６の交差する対角線Ｄ１３・Ｄ１４のうちの片方の対角線上に連結体Ｆの連結体直立部Ｆ８を嵌め込むこととなるが、この対角線Ｄ１３・Ｄ１４の長さは、連結体直立部Ｆ８の長さ、すなわち、連結体Ｆの縦辺Ｆ２・Ｆ４とほぼ同等な長さとしているが、この連結体直立部Ｆ８がスムーズに挿入・取外しができる長さとしている。【００１２】  したがって、板状装着板Ｅと連結体Ｆより環状となる装着体Ｂにおいて、整形体Ｃを板状装着板Ｅの左水平板２・右水平板３上に載置し、整形体Ｃの固定孔９に連結体Ｆの連結体直立部Ｆ８を挿入して整形体Ｃを係止して、板状装着板Ｅの天板１のアーチ状の湾曲状態を安定することとなり、造花等の収納物を上部開口Ｄ１５より投入する筒状の保持枠Ｄを、装着体Ｂのアーチ状なる天板１の貫通孔４に貫通し、保持枠Ｄの下部開口Ｄ１６の交差する対角線Ｄ１３・Ｄ１４のうちの片方の対角線上に、連結体Ｆの連結体直立部Ｆ８を嵌め込んで、保持枠Ｄを装着体Ｂに安定した直立状態にて着脱自在に装着されることとなる組立容器Ａ１は、装着体Ｂが開閉自在なる折り曲げ線Ｅ５・Ｅ６、Ｆ５〜Ｆ７、及び、保持枠Ｄが開閉自在なる折り曲げ線Ｄ９〜Ｄ１２をもって扁平状に折り畳みができ、小さなスペースで保管・輸送が可能な折り畳み式組立容器となる。
【考案の概要】
【考案が解決しようとする課題】
【００１３】  従来の折り畳み式組立容器は、造花等の収納物を投入する筒状の保持枠を、装着体の天板の貫通孔に貫通して整形体上に設置するが、生花のための貯水は不可能であった。【００１４】  本考案は、上述のような問題点に鑑みてなされたものであり、その目的とするところは、小さなスペースで保管・輸送が可能な折り畳み方式にて、生花を生けるための貯水が可能な組立貯水容器を得ることを目的とする。
【課題を解決するための手段】
【００１５】  本考案の折り畳み式組立貯水容器の課題解決手段は、互いに平行する二縦辺に平行するところの開閉自在なる折り曲げ線をもって設けた、一対の内側板を扁平状としたところの四辺形からなる内枠の平行する二縦辺に、この内枠に重ね合わせられた二重のフィルムにて袋状としたポリ袋の平行する二側辺を巻き込み、かつ、接着したところの貯水枠の平行する二縦辺が、互いに平行する二縦辺に平行するところの３本の開閉自在なる折り曲げ線をもって、一対の接続板の間に一対の外側板を設けた四辺形からなる外枠の、扁平状としたところの一対の前記外側板に一対の前記接続板を折り返して形成されるところの二角内に収まり、前記ポリ袋の巻き込み部分、及び、この巻き込み部分を除くところの前記内側板と前記外枠の前記接続板を接着し、前記ポリ袋の平行する上部開口縁をこれに対応する前記外側板と前記内側板にそれぞれ接着した、前記外枠と前記内枠に設けた４本の開閉自在なる前記折り曲げ線により水平断面形状が四辺形にて、この四角のうちの前記貯水枠の平行する二縦辺が収まるところの二角内に、貯水可能な前記ポリ袋の平行する二側辺が固着される筒状の貯水体を、前記天板の貫通孔に貫通し、下部開口内に前記連結体直立部を嵌め込んで前記整形体上に設置して、前記装着体に着脱自在に装着した折り畳み式組立貯水容器とするものである。
【考案の効果】
【００１６】  上述の様に考案効果は、一対の内側板を扁平状とした内枠の二縦辺に、この内枠に重ね合わせられたポリ袋の二側辺を巻き込み、かつ、接着した貯水枠の二縦辺が、一対の接続板の間に一対の外側板を設けた外枠の、扁平状とした一対の外側板に一対の接続板を折り返して形成される二角内に収まり、ポリ袋の巻き込み部分、及び、この巻き込み部分を除く内側板と接続板を接着し、ポリ袋の上部開口縁を外側板と内側板に接着した、外枠と内枠に設けた４本の折り曲げ線により水平断面形状が四辺形にて、この四角のうちの貯水枠の平行する二縦辺が収まるところの二角内に、ポリ袋の平行する二側辺が固着される筒状の貯水体を、天板の貫通孔に貫通し整形体上に設置して装着体に着脱自在に装着した、貯水が可能にて、小さなスペースで保管・輸送が可能な折り畳み式組立貯水容器となる。
【図面の簡単な説明】
【００１７】
【図１】従来の組立容器の正面より見た要部断面図である。
【図２】同装着体の折り畳まれた状態の正面より見た要部断面図である。
【図３】同板状装着板の展開図である。
【図４】同連結体の展開図である。
【図５】同整形体の平面図である。
【図６】同上層整形板の平面図である。
【図７】同下層整形板の平面図である。
【図８】同保持枠の平面より見た要部断面図である。
【図９】同保持枠の展開図である。
【図１０】本考案の実施の形態１を示す組立容器の斜視図である。
【図１１】同貯水体の平面より見た要部断面図である。
【図１２】同貯水体の折り畳まれた状態の平面より見た要部断面図である。
【図１３】同貯水枠の内枠の一対の内側板を扁平状とした平面図である。
【図１４】同外枠の展開図である。
【図１５】同内枠の展開図である。
【図１６】同ポリ袋の両端の巻き込み部分を開放した平面図である。
【図１７】同ポリ袋の側面より見た要部断面図である。
【考案を実施するための形態】
【００１８】  以下、本考案の実施の形態を実施例にもとづき図面を参照して説明する。
【実施例１】
【００１９】  実施の形態１を示す図１０〜１７において、組立容器Ａ２は装着体Ｂ・整形体Ｃ・貯水体Ｊより構成されており、装着体Ｂに装着した整形体Ｃ上に貯水体Ｊを設置する実施例であり、装着体Ｂ・整形体Ｃは上述の従来の組立容器Ａ１におけるものと同等であり、この組立容器Ａ２は、小さなスペースで保管・輸送が可能な折り畳み式組立貯水容器となるものである。【００２０】  貯水体Ｊは、外枠Ｋと貯水枠Ｌより構成されている。【００２１】  外枠Ｋは、厚み０．２ｍｍ程度の厚紙の四辺Ｋ１〜Ｋ４からなる四辺形の外形形状にて、左右一対の接続板Ｍ・Ｎの間に一対の外側板Ｐ・Ｑを設け、この４枚の長方形の接続板Ｍ・Ｎと外側板Ｐ・Ｑにより水平断面形状が四辺形なる環状にしたものであり、四角Ｋ５〜Ｋ８のうちの三角Ｋ５〜Ｋ７に、縦辺Ｋ２・Ｋ４に平行にするところの３本の開閉自在な折り曲げ線Ｋ９〜Ｋ１１を配設し、残る角Ｋ８にて縦辺Ｋ２とＫ４をつき合わせている。【００２２】  貯水枠Ｌは、内枠Ｒと市販のポリ袋Ｓより構成され、内枠Ｒは、厚み０．２ｍｍ程度の厚紙の四辺Ｒ１〜Ｒ４からなる四辺形の外形形状にて、縦辺Ｒ２・Ｒ４に平行するところの開閉自在な折り曲げ線Ｒ５をもって二等分して一対の内側板Ｔ・Ｕを設け、また、二重のフィルムＳ１・Ｓ２より袋状とした四辺Ｓ３〜Ｓ６からなるポリ袋Ｓを、開口縁Ｓ７・Ｓ８が内枠Ｒの上辺Ｒ１に沿った状態にて内枠Ｒに重ね合わせ、ポリ袋Ｓの縦辺Ｓ４・Ｓ６部分を内枠Ｒの縦辺Ｒ２・Ｒ４を巻き込むように折り返して、この折り返し部分Ｓ９・Ｓ１０を内側板Ｔ・Ｕに合成接着剤にて接着して、四辺Ｌ１〜Ｌ４からなる貯水枠Ｌを形成しているが、この折り返し部分Ｓ９・Ｓ１０は、内側板Ｔ・Ｕの全面に設けるのではなく、内側板Ｔ・Ｕには折り返し部分Ｓ９・Ｓ１０の無いところの余白部分Ｔ１・Ｕ１を設けている。【００２３】  そして、外枠Ｋを折り曲げ線Ｋ９とＫ１１を有するところの角Ｋ５とＫ７をもって、接続板Ｍ・Ｎと外側板Ｐ・Ｑが重なり合うように折り畳み、この角Ｋ５・Ｋ７内に貯水枠Ｌの縦辺Ｌ２・Ｌ４を収めた状態にて、外枠Ｋの接続板Ｍ・Ｎと、ポリ袋Ｓの折り返し部分Ｓ９・Ｓ１０、及び、内側板Ｔ・Ｕの余白部分Ｔ１・Ｕ１を接着して、外枠Ｋの四角Ｋ５〜Ｋ８のうちの、つき合わせられた角Ｋ８も、内枠Ｒの折り曲げ線Ｒ５をもって折り畳みのできる角Ｋ８となって、外枠Ｋと貯水枠Ｌより形成されるところの貯水体Ｊにおいて、四角Ｋ５〜Ｋ８をもって貯水体Ｊも扁平状に折り畳まれるとともに、水平断面形状が四辺形なる筒状にすることができる。【００２４】  また、貯水体Ｊの上部開口Ｊ１に位置することとなるポリ袋Ｓの開口縁Ｓ７・Ｓ８は、これに対応するところの外枠Ｋの外側板Ｐ・Ｑ、及び、内枠Ｒの内側板Ｔ・Ｕにそれぞれ接着している。【００２５】  また、貯水体Ｊは板状装着板Ｅの天板１がアーチ状に湾曲した状態における貫通孔４にスムーズに挿入・取外しができるものとし、貯水体Ｊの水平断面形状の大きさは、天板１がアーチ状に湾曲した状態における上方向より見たところの貫通孔４の大きさより一回り小さいものとしており、また、貯水体Ｊを整形体Ｃ上に係止するために、下部開口Ｊ２の交差する対角線Ｊ３・Ｊ４のうちの片方の対角線上に連結体���の連結体直立部Ｆ８を嵌め込むこととなるが、この対角線Ｊ３・Ｊ４の長さは、連結体直立部Ｆ８の長さ、すなわち、連結体Ｆの縦辺Ｆ２・Ｆ４とほぼ同等な長さとしているが、この連結体直立部Ｆ８がスムーズに挿入・取外しができる長さとしている。【００２６】  なお、四辺Ｋ１〜Ｋ４からなる外枠Ｋの縦辺Ｋ２・Ｋ４の大きさは、四辺Ｒ１〜Ｒ４からなる内枠Ｒの縦辺Ｒ２・Ｒ４と同等としているが、四辺Ｓ３〜Ｓ６からなるポリ袋Ｓの底辺Ｓ５は、貯水体Ｊの下部開口Ｊ２に嵌め込むところの連結体直立部Ｆ８に接触することのない高さとしている。【００２７】  したがって、外枠Ｋと貯水枠Ｌを接合して水平断面形状が四辺形なる筒状の貯水体Ｊ内に装着するポリ袋Ｓは、この両端の縦辺Ｓ４・Ｓ６が、外枠Ｋの折り曲げ線Ｋ９とＫ１１を有するところの、角Ｋ５とＫ７に固着されることとなり、貯水が可能なるポリ袋Ｓは、安定した状態にて貯水体Ｊ内に装着されることとなり、また、この貯水体Ｊが、装着体Ｂの天板１の貫通孔４に貫通して整形体Ｃ上に設置され、装着体Ｂに着脱自在に装着されることとなる組立容器Ａ２は、装着体Ｂが開閉自在なる折り曲げ線Ｅ５・Ｅ６、Ｆ５〜Ｆ７、及び、貯水体Ｊが開閉自在なる折り曲げ線Ｋ９〜Ｋ１１、Ｒ５をもって扁平状に折り畳みができ、小さなスペースで保管・輸送が可能な折り畳み式組立貯水容器となる。【００２８】  上述の実施例において、外枠Ｋ、貯水枠Ｌの内枠Ｒは厚紙製としているが、これをプラスチック板や、木製板とし、また、折り曲げを要する角にのみ折り曲げできるところの紙や、軟質なるプラスチック板等を使用してもよい。【００２９】  また、外枠Ｋまたは貯水枠Ｌの内枠Ｒに、ある程度の強度を必要とする場合、それぞれの上辺Ｋ１またはＲ１で折り返すところの二重構造とし、さらに、この二重構造の間に別の補強板を下方向より挿入するならば、貯水体Ｊはより強度のあるものとなる。【００３０】  また、ポリ袋Ｓの開口縁Ｓ７・Ｓ８は貯水体Ｊの上部開口Ｊ１に位置して、ポリ袋Ｓの上辺Ｓ３と内枠Ｒの上辺Ｒ１は同一高さとしており、貯水体Ｊに投入する生花の茎等が接触して外枠Ｋが見苦しい状態となる場合には、貯水枠Ｌを含む貯水体Ｊを交換することとなるが、水平断面形状が貯水体Ｊより一回り大きいところの四辺形なる筒状なものを設け、これを外枠とするならば、外枠のみ交換すればよいこととなるし、ポリ袋Ｓの上辺Ｓ３を内枠Ｒの上辺Ｒ１より高くしてもよいことは言うまでなく、また、プラスチックの射出成型や木製板等よりなり、このポリ袋Ｓの上辺Ｓ３と内枠Ｒの上辺Ｒ１が収まる凹状断面からなるところの、貯水体Ｊの上部開口Ｊ１に沿うところの環状なるキャップを付設してもよい。【００３１】  また、貯水体Ｊの組立ての手順において、外枠Ｋに、内枠Ｒとポリ袋Ｓを接着した貯水枠Ｌを接着しているが、まず、外枠Ｋにポリ袋Ｓを重ね合わせて、ポリ袋Ｓの折り返し部分Ｓ９・Ｓ１０を外枠Ｋの接続板Ｍ・Ｎに接着し、次に、このポリ袋Ｓの上に内枠Ｒの内側板Ｔ・Ｕを重ね合わせ、この内側板Ｔ・Ｕに、ポリ袋Ｓの折り返し部分Ｓ９・Ｓ１０とともに外枠Ｋの接続板Ｍ・Ｎを折り返して接着しても問題はない。
【符号の説明】
【００３２】Ａ１、Ａ２  組立容器
Ｂ  装着体
Ｃ  整形体
Ｄ  保持枠
Ｅ  板状装着板
Ｆ  連結体
Ｇ  上層整形板
Ｈ  下層整形板
Ｊ  貯水体
Ｋ  外枠
Ｌ  貯水枠
Ｍ、Ｎ  接続板
Ｐ、Ｑ  外側板
Ｒ  内枠
Ｓ  ポリ袋
Ｔ・Ｕ  内側板
【図１】
0003168935.tif 000003
【図２】
0003168935.tif 000004
【図３】
0003168935.tif 000005
【図４】
0003168935.tif 000006
【図５】
0003168935.tif 000007
【図６】
0003168935.tif 000008
【図７】
0003168935.tif 000009
【図８】
0003168935.tif 000010
【図９】
0003168935.tif 000011
【図１０】
0003168935.tif 000012
【図１１】
0003168935.tif 000013
【図１２】
0003168935.tif 000014
【図１３】
0003168935.tif 000015
【図１４】
0003168935.tif 000016
【図１５】
0003168935.tif 000017
【図１６】
0003168935.tif 000018
【図１７】
0003168935.tif 000019